(57)【要約】【課題】指示体が投写面を指示することにより描画オブジェクト画像を生成して投写する場合、汎用的なフェルトペンを使用して、指示体の指示色を容易に変更できるプロジェクターを提供する。【解決手段】プロジェクター１００は、スクリーンＳＣに画像を投写する投写部１４０と、指示体Ｐにより指示されるスクリーンＳＣの指示位置を検出する指示位置検出部１５０と、指示体Ｐを撮影して、指示体Ｐが指示する指示色を検出する指示色検出部１６０と、指示位置に応じた描画オブジェクト画像を指示色で生成する描画オブジェクト画像生成部１２０と、描画オブジェクト画像をスクリーンＳＣに投写させる画像処理部１３０と、を備える。【選択図】図２
2016164704.tif 000002
【特許請求の範囲】
【請求項１】
表示面に画像を表示する表示部と、
指示体により指示される前記表示面の指示位置を検出する位置検出部と、
前記指示体を撮影して、前記指示体が指示する指示色を検出する色検出部と、
前記指示位置に応じた描画オブジェクト画像を前記指示色で生成する生成部と、
前記描画オブジェクト画像を前記表示部に表示させる画像処理部と、を備えることを特徴とする画像表示装置。
【請求項２】
請求項１に記載の画像表示装置において、
前記画像処理部は、前記表示部が表示している前記画像と、前記描画オブジェクト画像と、を重畳した重畳画像を生成し、生成した前記重畳画像を前記表示部に表示させることを特徴とする画像表示装置。
【請求項３】
請求項１乃至２のいずれかに記載の画像表示装置において、
前記色検出部は、前記指示体が有する属性情報に基づいて前記指示色を決定することを特徴とする画像表示装置。
【請求項４】
請求項１乃至３のいずれか１項に記載の画像表示装置において、
前記描画オブジェクト画像は、複数の前記指示位置に基づく前記指示体の移動軌跡を示すことを特徴とする画像表示装置。
【請求項５】
請求項１乃至４のいずれか１項に記載の画像表示装置において、
前記指示体が有する前記属性情報を設定する設定部を備えることを特徴とする画像表示装置。
【請求項６】
請求項５に記載の画像表示装置において、
前記画像処理部は、前記属性情報を示す情報画像を生成し、生成した前記情報画像を前記描画オブジェクト画像に重畳して前記表示部に表示させることを特徴とする画像表示装置。
【請求項７】
表示する画像を供給する画像供給部と、
表示面に前記画像を表示する表示部と、
指示体により指示される前記表示面の指示位置を検出する位置検出部と、
前記指示体が指示する指示色を検出する色検出部と、
前記指示位置に応じた描画オブジェクト画像を前記指示色で生成する生成部と、
前記描画オブジェクト画像を前記表示部に表示させる画像処理部と、を備えることを特徴とする画像表示システム。
【発明の詳細な説明】
【技術分野】
【０００１】
本発明は、画像表示装置および画像表示システムに関する。
【背景技術】
【０００２】
従来、コンピューター等から出力される画像信号に基づく画像をプロジェクター等の画像表示装置によってスクリーン等に表示すると共に、電子ペンを用いて投写画像に対して行ったユーザーの操作を画像表示装置が検出し、ユーザーの操作に関する情報に基づく画像を生成して表示させる電子黒板システム（インタラクティブシステム）が実用化されている。
電子ペンは、例えば、ペン先から赤外線を発光する指示体であり、プロジェクターは、電子ペンからの赤外線を検出して、ユーザーの操作内容を認識する。例えば、投写画像上でユーザーが電子ペンで線を描くような操作を行うと、プロジェクターは、電子ペンの軌跡を認識し、投写された画像に電子ペンの軌跡を表す線を合成して投写する。このように、ユーザーは、投写画像上で指示体によって線を描画することができる。
【０００３】
下記特許文献１に示す表示システムでは、描画に関して設定可能な設定画面を投写画像に重畳させて表示し、ユーザーは設定画面を操作して描画する線の色を選択する。また、この表示システムでは、電子ペンに設けた識別マークと、電子ペンの機能情報を関連付けして記憶し、電子ペンの識別マークを読み取り、電子ペンを識別している。
更に、下記特許文献２では、電子ペンに設けたスイッチを切り替えることにより、描画する線の色を切り替える技術が開示されている。
【先行技術文献】
【特許文献】
【０００４】
【特許文献１】特開２０１３−１７５００１号公報
【特許文献２】特開２００１−１７５４０４号公報
【発明の概要】
【発明が解決しようとする課題】
【０００５】
しかしながら、従来のインタラクティブシステムでは、切り替えスイッチを備えた電子ペンや、機能情報と関連付けするための識別マークを備えた電子ペンがインタラクティブシステムに応じて必要であることから、通常のマーキングペン等では代用できないことに加え、インタラクティブシステム間で互換性がないため、専用の電子ペンをインタラクティブシステム毎に用意して管理する必要があり、インタラクティブシステムの管理コストが増大した。また、ユーザーは、スクリーン上に設定画面を呼び出して電子ペンによる描画の色設定を行う必要があり、設定が面倒であった。
【課題を解決するための手段】
【０００６】
本発明は、上述の課題の少なくとも一部を解決するためになされたものであり、以下の形態又は適用例として実現することが可能である。
【０００７】
［適用例１］
本適用例にかかる画像表示装置は、表示面に画像を表示する表示部と、指示体により指示される前記表示面の指示位置を検出する位置検出部と、前記指示体を撮影して、前記指示体が指示する指示色を検出する色検出部と、前記指示位置に応じた描画オブジェクト画像を前記指示色で生成する生成部と、前記描画オブジェクト画像を前記表示部に表示させる画像処理部と、を備えることを特徴とする。
【０００８】
このような構成によれば、画像が表示される表示面を指示体が指示する場合、指示体が指示する指示色を色検出部が検出し、指示体の指示位置に応じた描画オブジェクト画像を指示色で生成し、生成した描画オブジェクト画像を表示面に表示する。従って、指示色は色検出部が検出するため、指示体は指示色に関する情報を発信する機能が不要であり、指示体のコストを低減できることに加え、指示色を変更する場合、色検出部が指示体の指示色の変更を検出し、検出した指示色で描画オブジェクト画像を生成するため、指示色の切り替えが容易にできる。
【０００９】
［適用例２］
上記適用例にかかる画像表示装置において、前記画像処理部は、前記表示部が表示している前記画像と、前記描画オブジェクト画像と、を重畳した重畳画像を生成し、生成した前記重畳画像を前記表示部に表示させることが好ましい。
【００１０】
このような構成によれば、指示体で指示することによりにより生成した描画オブジェクト画像は、表示部が表示している画像に重畳して表示されるため、表示している画像に生成した描画オブジェクトを容易に合成して表示できる。
【００１１】
［適用例３］
上記適用例にかかる画像表示装置において、前記色検出部は、前記指示体が有する属性情報に基づいて前記指示色を決定することが好ましい。
【００１２】
このような構成によれば、指示色は指示体が有する属性情報に基づいて決定されるため、指示色を入力することなく容易に設定できる。
【００１３】
［適用例４］
上記適用例にかかる画像表示装置において、前記描画オブジェクト画像は、複数の前記指示位置に基づく前記指示体の移動軌跡を示しても良い。
【００１４】
［適用例５］
上記適用例にかかる画像表示装置において、前記指示体が有する前記属性情報を設定する設定部を備えることが好ましい。
【００１５】
このような構成によれば、設定部を介して指示体が有する属性情報を設定できる。
【００１６】
［適用例６］
上記適用例にかかる画像表示装置において、前記画像処理部は、前記属性情報を示す情報画像を生成し、生成した前記情報画像を前記描画オブジェクト画像に重畳して前記表示部に表示させることが好ましい。
【００１７】
このような構成によれば、描画オブジェクト画像に重畳して属性情報を示す情報画像を表示できる。
【００１８】
［適用例７］
本適用例にかかる画像表示システムは、表示する画像を供給する画像供給部と、表示面に前記画像を表示する表示部と、指示体により指示される前記表示面の指示位置を検出する位置検出部と、前記指示体が指示する指示色を検出する色検出部と、前記指示位置に応じた描画オブジェクト画像を前記指示色で生成する生成部と、前記描画オブジェクト画像を前記表示部に表示させる画像処理部と、を備えることを特徴とする。
【００１９】
このような構成によれば、画像が表示される表示面を指示体が指示する場合、指示体が指示する指示色を色検出部が検出し、指示体の指示位置に応じた描画オブジェクト画像を指示色で生成し、生成した描画オブジェクト画像を表示面に表示する。従って、指示色は色検出部が検出するため、指示体は指示色に関する情報を発信する機能が不要であり、指示体のコストを低減できることに加え、指示色を変更する場合、色検出部が指示体の指示色の変更を検出し、検出した指示色で描画オブジェクト画像を生成するため、指示色の切り替えが容易にできる。
【図面の簡単な説明】
【００２０】
【図１】本発明の実施形態に係るプロジェクターの使用例を示す図。
【図２】本発明の実施形態に係るプロジェクターの機能構成を示すブロック図。
【図３】投写部の光学系を模式的に示す図。
【図４】ＯＳＤ機能により表示されるペン設定メニューの一例を示す図。
【図５】指示体の属性表示を示す図。
【発明を実施するための形態】
【００２１】
以下、本発明の実施形態について図面を参照して説明する。
【００２２】
（実施形態）
図１は、本発明を適用した実施形態に係るプロジェクター１００の使用例を示す図である。プロジェクター１００は、画像表示装置の１つであり、表示面を有するホワイトボード等のスクリーンＳＣの上方に設置され、ケーブル６０を介してＰＣ（パーソナルコンピューター）５０と通信可能に接続されている。
本実施形態では、プロジェクター１００およびＰＣ５０は、画像表示システム（インタラクティブシステム）を構成している。また、ＰＣ５０は、画像供給部に相当する。
プロジェクター１００は、ＰＣ５０から送信される画像データを受信し、この画像データに基づく画像を投写面としてのスクリーンＳＣに投写する。このプロジェクター１００は短焦点型であって、スクリーンＳＣの直上に設置され、斜め下方に向けて画像を投写する。
【００２３】
また、プロジェクター１００は、ユーザーの指示により、投写している投写画像と、メニュー画面と、を重畳させて投写し、メニュー画面から設定指示を受け付けるオンスクリーンディスプレイ（ＯＳＤ）機能を備える。メニュー画面では、例えば、投写画像に対する手書きによる書き込み機能を選択できる。
【００２４】
書き込み機能は、例えば、ユーザーがペン状の指示体Ｐを把持し、把持した指示体ＰをスクリーンＳＣ上で所望の方向に移動させた場合、プロジェクター１００は、スクリーンＳＣ上での指示体Ｐの位置を検出し、検出した複数の位置に基づいて移動軌跡を算出する。プロジェクター１００は、算出した移動軌跡を予め指示された線分でスクリーンＳＣに投写する。このようにして、ユーザーは、スクリーンＳＣ上に直線、曲線、多角形などの図絵を投写画像に重畳して描画できる。
また、プロジェクター１００は、この機能により描画された画像を、画像データとして保存し、必要に応じて、保存した画像を読み出して再描画できる。
尚、プロジェクター１００と、ＰＣ５０と、の接続は、ケーブル６０を介した態様には限定されず、無線通信でネットワークを介して接続する態様も想定できる。
【００２５】
図２は、プロジェクター１００の機能構成を示すブロック図である。このプロジェクター１００は、投写画像入力部１０２、操作部１０４、指示解析部１１０、描画オブジェクト画像生成部１２０、画像処理部１３０、投写部１４０、指示位置検出部１５０および指示色検出部１６０を備える。尚、指示位置検出部１５０は位置検出部に相当し、指示色検出部１６０は色検出部に相当する。
投写画像入力部１０２は、ＰＣ５０からプロジェクター１００で投写可能なデータ形式に変換された画像データが入力される。投写画像入力部１０２に入力された画像データは画像処理部１３０に送られる。
操作部１０４は、プロジェクター１００に配置された操作パネル１０５や、図示を略した操作リモコン等を想定し、ユーザーにより所定の操作がプロジェクター１００に指示される。
【００２６】
指示位置検出部１５０は、ユーザーが指示したスクリーンＳＣ上の指示体Ｐの位置を検出し、検出した位置に基づいて指示体Ｐの位置情報を指示解析部１１０に送る。尚、本実施形態では、指示体Ｐは、紙媒体等に描画可能なホワイトボードマーカー、サインペンおよびラインマーカーのような汎用的なフェルトペンを想定する。従って、指示体Ｐは、自ら発光する機能や、電気信号等を送信する機能は具備しない。
本実施形態では、指示位置検出部１５０は、図示を略した複数のデジタルカメラで指示体Ｐを撮影し、撮影した指示体Ｐの視差に基づいて指示体Ｐの指示位置を算出する、所謂、ステレオカメラ方式を採用する。
【００２７】
尚、指示位置検出部１５０は、ステレオカメラ方式には限定されず、例えば、レーザー光の走査による位置検出方式等も想定できる。また、ステレオカメラ方式およびレーザー光による位置検出方式の２段階で検出しても良い。
また、使用しない指示体Ｐを一時的に退避させるための退避場所を設定し、指示位置検出部１５０は、退避場所に置かれた指示体Ｐに対しては位置を検出しない態様も想定できる。尚、退避場所は、スクリーンＳＣ上の端部領域に設定されても良く、また、スクリーンＳＣ上の任意の場所に脱着可能で、指示位置検出部１５０が識別可能なペンホルダーのような態様も想定できる。
【００２８】
指示色検出部１６０は、スクリーンＳＣ上の指示体Ｐが指示する指示色を検出し、検出した指示色に関する情報を指示解析部１１０に送る。本実施形態では、指示色検出部１６０は可視光を撮影可能なデジタルカメラを想定する。尚、指示色検出部１６０のデジタルカメラは、指示位置検出部１５０のデジタルカメラと併用しても良い。
汎用的なフェルトペンの把持部やキャップ部の少なくとも一部には、そのフェルトペンの属性情報の１つである描画色が視認可能に表示されている。指示色検出部１６０は、描画色の表示領域を含むフェルトペンの把持部やキャップ部の画像をデジタルカメラで撮影し、撮影した画像のデータを指示解析部１１０に送る。
【００２９】
指示解析部１１０は、ユーザーが指示体ＰでスクリーンＳＣ上を指示した指示内容を解析する機能を備える。更に、指示解析部１１０は、解析した指示内容に応じて各機能部を制御する制御機能を備える。
指示解析部１１０は、指示内容を解析して管理する機能として、軌跡解析部１１２、指示色解析部１１４および属性管理部１１６を備える。
軌跡解析部１１２は、ユーザーが把持した指示体ＰによるスクリーンＳＣ上での描画が指示された場合、指示位置検出部１５０から送られる指示体Ｐの複数の指示位置に関する情報に基づいて、指示体Ｐの移動軌跡を解析する。尚、軌跡解析部１１２は、指示体ＰとスクリーンＳＣとが基準距離を超えることなく移動を検出した場合は、図絵の描画のための移動であると判定し、指示体ＰがスクリーンＳＣから基準距離を超えて移動を検出した場合、描画を伴わない移動であると判定する。
【００３０】
軌跡解析部１１２は、このようにして解析した指示体Ｐの移動軌跡の情報を描画オブジェクト画像生成部１２０に送る。
指示色解析部１１４は、指示色検出部１６０から送られる情報に基づいて指示色を解析する。例えば、フェルトペンの把持部に描画色が塗布されている場合、指示色解析部１１４は、画像のデータを解析してフェルトペンの把持部に着色されている描画色を取得し、取得した描画色を指示体Ｐが指示する指示色とする。
【００３１】
尚、指示色解析部１１４に送られる画像は、外部からの照射光が把持部で反射した反射光である。従って、フェルトペンを照射する光の波長を考慮して、把持部の色を決定することにより、指示色をより正確に解析できる。このため、プロジェクター１００は、例えば、起動時に、外部からの照射光に応じたホワイトバランス補正を行っても良い。
また、指示色検出部１６０は、デジタルカメラには限定されず、所定の基準光、例えば、赤色、緑色および青色のように波長が異なる光線を指示体Ｐにおける描画色の表示領域にそれぞれ照射し、表示領域からの各反射光を指示色解析部１１４が解析して指示体Ｐの指示色を検出する態様も想定できる。
【００３２】
指示色解析部１１４は、このようにして解析した指示色の情報を描画オブジェクト画像生成部１２０に送る。
属性管理部１１６は、指示色や移動軌跡に関する属性情報を管理する。属性管理部１１６の詳細な機能は後述する。
描画オブジェクト画像生成部１２０は、軌跡解析部１１２から送られる指示体Ｐの移動軌跡の情報、および、指示色解析部１１４から送られる指示色の情報に基づいて、指示色で描画する指示体Ｐの軌跡画像、即ち、描画オブジェクトを生成する。描画オブジェクト画像生成部１２０は、生成した描画オブジェクトの画像データを画像処理部１３０に送る。尚、描画オブジェクト画像生成部１２０は生成部に相当する。
【００３３】
画像処理部１３０は、投写画像入力部１０２や描画オブジェクト画像生成部１２０から送られる画像データに対して、所定の画像処理を施す。例えば、画像処理部１３０は、投写画像入力部１０２から送られた画像と、描画オブジェクト画像生成部１２０から送られた画像と、を合成した重畳画像の画像データを生成する。
また、画像処理部１３０は、ＯＳＤ機能によりメニュー画面の表示が指示された場合、投写画像と、該当するメニュー画面の画像と、を更に重畳した画像データを生成する。
また、画像処理部１３０は、画像データに基づいて、リサイズ処理を行うと共に、Ｒ（赤）、Ｇ（緑）およびＢ（青）の各階調を輝度値で表した画像信号および輝度信号を生成する。更に、画像処理部１３０は、輝度信号に基づいて特徴量を算出し、算出した特徴量から算出される伸張係数に基づいて画像信号が伸張処理され、伸張処理された画像信号は投写部１４０の液晶装置２８５Ｒ，２８５Ｇ，２８５Ｂ（図３）にそれぞれ送られる。
【００３４】
投写部１４０は、表示部に相当し、画像処理部１３０から出力される画像信号に基づく画像をスクリーンＳＣの表示面に拡大投写して表示する。
尚、指示解析部１１０、描画オブジェクト画像生成部１２０および画像処理部１３０は、何れも図示を略した、ＣＰＵ（Central  Processing  Unit）、ＲＯＭ（Read  Only  Memory）、およびＲＡＭ（Random  Access  Memory）等をハードウェアとして備える。ＣＰＵは、各種演算処理を行う中央処理装置であり、各部との信号の入出力を行うことによりプロジェクター１００を統括制御する。ＲＯＭは、ＣＰＵが各種演算処理を行うために用いられる制御プログラムおよび制御データを記憶している。この制御プログラムには、画像処理部１３０において用いられる画像処理のプログラムが含まれる。また、ＲＯＭには、種々のプログラム等も記憶されている。ＲＡＭは、ＣＰＵが各種演算処理を行う際の作業領域として用いられる。
【００３５】
上述した指示解析部１１０、描画オブジェクト画像生成部１２０および画像処理部１３０の各機能は、これらのハードウェアとプログラムが協働することにより実現している。
図３は投写部１４０の光学系を模式的に示す図である。この図３を参照して光学系の概略構成を説明する。
投写部１４０の光学系は光学ユニット２５１に構成されている。光学ユニット２５１は、光学部品用筐体２５２、光源装置２５５、照明光学装置２６０、色分離光学装置２６５、リレー光学装置２７０、光変調装置２８０および投写光学装置２９０を備えている。これらの各装置を構成する光学部品は光学部品用筐体２５２に収納されている。
【００３６】
光源装置２５５は、光束を射出する発光管２５６およびリフレクター２５７を備えている。光源装置２５５は、発光管２５６から射出された光束をリフレクター２５７で反射させて射出方向を揃え、照明光学装置２６０に向けて射出する。尚、照明光軸ＯＣは、光源装置２５５から被照明領域側に射出される光束の中心軸である。尚、光源は、ＬＥＤやレーザー等の固体光源も想定できる。
照明光学装置２６０はレンズアレイ２６１，２６２、偏光変換素子２６３、重畳レンズ２６４およびフィールドレンズ２６９を備え、光源装置２５５から射出された光束に対し、照明光軸ＯＣと直交する面内での照度を均一化する機能を有する。
色分離光学装置２６５はダイクロイックミラー２６６，２６７や反射ミラー２６８を備え、照明光学装置２６０から射出された光束を、赤色（Ｒ）光、緑色（Ｇ）光、青色（Ｂ）光の３色の色光に分離して３つの液晶装置２８５Ｒ，２８５Ｇ，２８５Ｂに導光する。
【００３７】
リレー光学装置２７０は入射側レンズ２７２、リレーレンズ２７６および反射ミラー２７４，２７８を備える。このリレー光学装置２７０は、色分離光学装置２６５で分離された色光（本実施形態ではＢ光）に対し、光路の長さが他の色光の光路の長さよりも長くなるため、光の発散などによる光の利用効率の低下を防止し、液晶装置２８５（本実施形態では液晶装置２８５Ｂ）まで導く。
光変調装置２８０は、３つの入射側偏光板２８４、３つの液晶装置２８５Ｒ，２８５Ｇ，２８５Ｂ、３つの射出側偏光板２８６およびクロスダイクロイックプリズム２８８を備える。液晶装置２８５Ｒ，２８５Ｇ，２８５Ｂは、色分離光学装置２６５で分離された各色光を画像信号に応じて変調する。クロスダイクロイックプリズム２８８は、液晶装置２８５Ｒ，２８５Ｇ，２８５Ｂにより変調された各色光を合成し、投写光学装置２９０側に射出する。尚、光変調装置２８０は、液晶パネルを用いた方式には限定されず、ＤＬＰ（Ｄｉｇｉｔａｌ  Ｌｉｇｈｔ  Ｐｒｏｃｅｓｓｉｎｇ）方式やＬＣＯＳ（Ｌｉｑｕｉｄ  Ｃｒｙｓｔａｌ  Ｏｎ  Ｓｃｒｅｅｎ）方式等の他の方式も想定できる。
【００３８】
投写光学装置２９０は、超短焦点の投写レンズ２９２および曲面を有する反射ミラー２９４を備える。この投写光学装置２９０は、光変調装置２８０で変調され合成された光束を、投写レンズ２９２で拡大し、反射ミラー２９４で反射してスクリーンＳＣの表示面に向けて拡大投写することにより、画像信号に基づく画像が表示面に表示される。
図４は、ＯＳＤ機能により表示されるペン設定メニューの一例を示す図である。このペン設定メニューは、指示体Ｐの属性情報を設定するための設定部に相当する。ペン設定メニューは、ユーザーによる操作部１０４の操作に基づいて、属性管理部１１６（図２）が生成し、スクリーンＳＣに投写される。
ユーザーは、ペン設定メニューを介して、描画オブジェクト画像を描画する指示体Ｐの認識、指示色の微調整、指示色の指定、特殊効果、移動軌跡を示す線の太さ、および移動軌跡の表示パターン、柄などを指示できる。尚、特殊効果は、「浮かびあがり変化」および「消失変化」を想定する。
【００３９】
ここで、「浮かびあがり変化」は、描画した直後の移動軌跡は不可視状態（透明状態）であり、所定時間が経過した後、可視状態に遷移する。また、「消失変化」は、描画した直後の移動軌跡は可視状態であり、所定時間が経過した後、不可視状態（透明状態）に遷移する。
属性管理部１１６は、ユーザーがペン設定メニューを介して設定した内容を指示体Ｐに対応付けて記憶することにより、指示体Ｐの属性を管理する。
図５は、指示体Ｐの属性表示を示す図である。例えば、図５（ａ）に示すように、ユーザーは、指示体Ｐ１を起動後に初めてスクリーンＳＣで指示した場合、属性管理部１１６は、指示体Ｐ１の属性情報の少なくとも一部を示す情報画像を生成し、生成した情報画像を指示体Ｐ１の指示領域近傍に重畳して投写させる。
【００４０】
また図５（ｂ）に示すように、指示体Ｐ２の属性情報の画像や指示体Ｐ３の属性情報の少なくとも一部を示す情報画像をスクリーンＳＣの所定位置に投写させても良い。
これらの場合、情報画像を投写する時間は、一定時間であっても良く、また、常時投写しても良い。また、投写する属性情報はユーザーが設定する態様も想定できる。
【００４１】
以上述べた実施形態によれば、以下のような効果を奏する。
（１）プロジェクター１００が画像を投写しているスクリーンＳＣ上を、汎用的なフェルトペン等の指示体Ｐで指示することにより、所望の図絵を投写している画像に重畳して表示できる。従って、電子ペンのような電子機器としての指示体Ｐが不要であることから、インタラクティブシステムを容易かつ安価に実現できる。
（２）指示体Ｐで描画する線画の色を切り替えたい場合、ユーザーは、所望の色を示す指示体Ｐに交換することにより、プロジェクター１００が指示体Ｐの指示色を検出し、以降に指示される描画オブジェクトの描画を指示色で投写する。従って、描画オブジェクト画像を生成する場合の指示色を容易かつ迅速に変更できる。
（３）プロジェクター１００は、指示体Ｐ毎に、指示色や描画パターン等の属性情報を設定して管理するため、ユーザーは、複数の指示体Ｐを切り替えて所望の描画オブジェクトを迅速かつ容易に作成できる。
（４）指示体Ｐの属性情報を描画オブジェクト画像に重畳して表示できるため、ユーザーは指示体Ｐの属性情報を容易に認知できる。
【００４２】
本発明の実施形態について、図面を参照して説明したが、具体的な構成は、この実施形態に限られるものではなく、本発明の要旨を逸脱しない範囲の設計変更等も含まれる。例えば、指示色検出部１６０は、フェルトペンの把持部やキャップ部に着色されている色を検知したが、例えば、色の情報を示すバーコードや文字や記号が指示体Ｐに添付されている場合、これらの情報を解読する態様も想定できる。
【００４３】
また、指示色検出部１６０は、撮影した被写体の輪郭を検出し、検出した輪郭に紐付けされた色を決定しても良い。更に、被写体の輪郭には、所定の動作を紐付けしても良い。例えば、直方体の輪郭に対しては、消しゴムのような消去動作を紐付け、投写している被写体に対して直方体の移動軌跡に対応する領域を消去する態様も想定できる。
また、指示解析部１１０および描画オブジェクト画像生成部１２０の各機能の少なくとも一部は、ＰＣ５０側で実現しても良い。また、ＰＣ５０が備える画像供給機能をプロジェクター１００側に備える態様も想定できる。
また、本発明の画像表示装置は、スクリーンＳＣに画像を投写するプロジェクター１００に限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像／画像を表示するモニター装置またはテレビ受像機等の自発光型の表示装置など、各種の表示装置も本発明の画像表示装置に含まれる。
また、以上のような手法を実施する装置は、単独の装置によって実現される場合もあれば、複数の装置を組み合わせることによって実現される場合もあり、各種の態様を含むものである。
【符号の説明】
【００４４】
５０…ＰＣ、６０…ケーブル、１００…プロジェクター、１０２…投写画像入力部、１０４…操作部、１０５…操作パネル、１１０…指示解析部、１１２…軌跡解析部、１１４…指示色解析部、１１６…属性管理部、１２０…描画オブジェクト画像生成部、１３０…画像処理部、１４０…投写部、１５０…指示位置検出部、１６０…指示色検出部、２５１…光学ユニット、２５２…光学部品用筐体、２５５…光源装置、２５６…発光管、２５７…リフレクター、２６０…照明光学装置、２６１，２６２…レンズアレイ、２６３…偏光変換素子、２６４…重畳レンズ、２６５…色分離光学装置、２６６，２６７…ダイクロイックミラー、２６８…反射ミラー、２６９…フィールドレンズ、２７０…リレー光学装置、２７２…入射側レンズ、２７４，２７８…反射ミラー、２７６…リレーレンズ、２８０…光変調装置、２８５，２８５Ｒ，２８５Ｇ，２８５Ｂ…液晶装置、２８６…射出側偏光板、２８８…クロスダイクロイックプリズム、２９０…投写光学装置、２９２…投写レンズ、２９４…反射ミラー、ＳＣ…スクリーン、Ｐ…指示体。
【図１】
2016164704.tif 000003
【図２】
2016164704.tif 000004
【図３】
2016164704.tif 000005
【図４】
2016164704.tif 000006
【図５】
2016164704.tif 000007